(57)【要約】【課題】ＬＥＤランプの装着時には給電用の第１ランプピンよりもアース用の第２ランプピンが先に電気的に接続し、ＬＥＤランプの取り外し時には第１ランプピンよりも第２ランプピンが後から電気的に外れる構造を備えた照明装置を提供する。【解決手段】照明装置は、直管形ランプの第１口金部に設けられた第１ランプピンに点灯電力を供給する給電端子を具備する第１ソケット１と、直管形ランプの第２口金部に設けられた第２ランプピンと電気的に接続されるアース端子５を具備する第２ソケット２と、第１ランプピンに供給される点灯電力を生成する点灯回路３とを備える。第２ソケット２は、当該第２ソケット２に直管形ランプの第２口金部を装着させると点灯回路３から点灯電力を出力させる切換スイッチ４を備える。【選択図】図１
2012226919.tif 000002
【特許請求の範囲】
【請求項１】
直管形の発光管を有し、前記発光管の一端側に給電用の第１ランプピンが突設された第１口金部が設けられ、前記発光管の他端側にアース用の第２ランプピンが突設された第２口金部が設けられた直管形ランプに点灯電力を供給する照明装置であって、
前記直管形ランプの前記第１ランプピンに点灯電力を供給する給電端子を具備する第１ソケットと、前記直管形ランプの前記第２ランプピンと電気的に接続されるアース端子を具備する第２ソケットと、前記第１ランプピンに供給される点灯電力を生成する点灯回路とを備え、
前記第２ソケットは、当該第２ソケットに前記第２口金部を装着させると前記点灯回路から点灯電力を出力させる切換スイッチを備えていることを特徴とする照明装置。
【請求項２】
前記切替スイッチは、前記直管形ランプの前記第２ランプピンが当該切換スイッチの操作子に接触すると前記点灯回路から点灯電力を出力させることを特徴とする請求項１記載の照明装置。
【発明の詳細な説明】
【技術分野】
【０００１】
本発明は、照明装置に関するものである。
【背景技術】
【０００２】
従来より、直管形のＬＥＤランプに点灯電力を供給するＬＥＤ照明装置が提供されている（例えば特許文献１参照）。このＬＥＤ照明装置は、所定の間隔で対向して配置され、ＬＥＤランプが着脱自在に装着される一対のランプソケットと、ＬＥＤランプに供給される点灯電力を生成する点灯装置とを備える。一方、ＬＥＤランプは直管状の発光管を有しており、この発光管の両端部には給電用のランプピンが突設された口金部がそれぞれ設けられている。
【０００３】
このＬＥＤ照明装置では、各口金部をそれぞれ対応するランプソケットに装着することで、各口金部のランプピンと点灯装置の出力端とがランプソケットを介して電気的に接続され、点灯装置から点灯電力が供給されるとＬＥＤランプが点灯する。
【先行技術文献】
【特許文献】
【０００４】
【特許文献１】特開２００４−３０９２９号公報（段落［００５０］−段落［００５２］、及び、第４図）
【発明の概要】
【発明が解決しようとする課題】
【０００５】
上述の特許文献１に示したＬＥＤ照明装置は、両側のランプソケットを介してＬＥＤランプに点灯電力を供給するものであるが、片側のランプソケットのみで点灯電力を供給するＬＥＤ照明装置も考えられる。このＬＥＤ照明装置によれば、残りのランプソケットにアース端子を設けることができ、このアース端子に接触するアース用のランプピンをＬＥＤランプの対応する口金部に設けることでＬＥＤランプを接地することができる。
【０００６】
ところで、このＬＥＤ照明装置では、給電状態でＬＥＤランプを装着しようとすると、まず最初にアース側のランプソケットに対応する口金部を装着し、その後給電側のランプソケットに対応する口金部を装着しなければならず、アースが取れていない状態で給電側のランプソケットに対応する口金部を装着させることは安全上好ましくなかった。
【０００７】
本発明は上記問題点に鑑みて為されたものであり、その目的とするところは、ＬＥＤランプの装着時には給電用の第１ランプピンよりもアース用の第２ランプピンが先に電気的に接続し、ＬＥＤランプの取り外し時には第１ランプピンよりも第２ランプピンが後から電気的に外れる構造を備えた照明装置を提供することにある。
【課題を解決するための手段】
【０００８】
本発明の照明装置は、直管形の発光管を有し、発光管の一端側に給電用の第１ランプピンが突設された第１口金部が設けられ、発光管の他端側にアース用の第２ランプピンが突設された第２口金部が設けられた直管形ランプに点灯電力を供給する照明装置であって、直管形ランプの第１ランプピンに点灯電力を供給する給電端子を具備する第１ソケットと、直管形ランプの第２ランプピンと電気的に接続されるアース端子を具備する第２ソケットと、第１ランプピンに供給される点灯電力を生成する点灯回路とを備え、第２ソケットは、当該第２ソケットに第２口金部を装着させると点灯回路から点灯電力を出力させる切換スイッチを備えていることを特徴とする。
【０００９】
この照明装置において、切替スイッチは、直管形ランプの第２ランプピンが当該切換スイッチの操作子に接触すると点灯回路から点灯電力を出力させるのが好ましい。
【発明の効果】
【００１０】
ＬＥＤランプの装着時には給電用の第１ランプピンよりもアース用の第２ランプピンが先に電気的に接続し、ＬＥＤランプの取り外し時には第１ランプピンよりも第２ランプピンが後から電気的に外れる構造を備えた照明装置を提供することができるという効果がある。
【図面の簡単な説明】
【００１１】
【図１】本実施形態の照明装置の一例を示す概略構成図である。
【図２】同上を構成する第２ソケットを示し、（ａ）は分解斜視図、（ｂ）は外観斜視図である。
【図３】同上に直管形ランプを取り付ける前の状態を示し、（ａ）は全体の正面図、（ｂ）は第２ソケットの正面図、（ｃ）はカバーを取り外した状態の第２ソケットの正面図である。
【図４】同上に直管形ランプを取り付けた後の状態を示し、（ａ）は全体の正面図、（ｂ）は第２ソケットの正面図、（ｃ）はカバーを取り外した状態の第２ソケットの正面図である。
【図５】同上の他の例を示す概略構成図である。
【図６】同上を構成する第１ソケットの他の例を示す分解斜視図である。
【発明を実施するための形態】
【００１２】
以下に、照明装置の実施形態を図面に基づいて説明する。
【００１３】
本実施形態の照明装置は、後述の直管形ランプ６に点灯電力を供給するための装置であり、第１ソケット１と、第２ソケット２と、点灯回路３とを主要な構成として備える。
【００１４】
直管形ランプ６は、図３（ａ）に示すように左右方向に細長い直管状の発光管６０を有し、発光管６０の左端部には第１口金部６２が設けられ、発光管６０の右端部には第２口金部６１が設けられている。第１口金部６２には、Ｌ字状に形成された一対の第１ランプピン６２ａが設けられており、一対の第１ランプピン６２ａを介して点灯回路３から点灯電力が供給される。また、第２口金部６１には、先端部が円板状に形成された第２ランプピン６１ａが設けられており、この第２ランプピン６１ａはアース端子として機能する。なお、発光管６０の内部には、例えば複数のＬＥＤ（発光ダイオード）が実装されたプリント基板（図示せず）が収納されており、一対の第１ランプピン６２ａを介して供給される直流電力によって各ＬＥＤが点灯するようになっている。
【００１５】
ところで、日本電球工業会規格ＪＥＬ８０１の１０．５項にはソケットの保護接地について規定されており、保護接地端子を有するランプを装着する時は通電用の端子よりも接地用の端子が先に接触し、ランプを取り外す際は通電用の端子よりも接地用の端子が後から外れる構造であることが必要である。したがって、上記の直管形ランプ６を接続する際にはこの規格を満足する必要があり、本実施形態ではこの規格を電気的に満足する照明装置を提供する。以下、照明装置について詳細に説明する。なお、以下の説明では特に断りがない限り、図３（ｂ）に示す向きにおいて上下左右の方向を規定し、図３（ｂ）の紙面に垂直な方向を前後方向とする。
【００１６】
第２ソケット２は、図１及び図２に示すように、ソケット本体２０と、切換スイッチ４と、アース端子５とを主要な構成として備える。
【００１７】
ソケット本体２０は、前面側が開口する箱状のボディ２１と、ボディ２１の前面開口を閉塞する形でボディ２１に取り付けられるカバー２２とで構成され、ボディ２１及びカバー２２はともに合成樹脂成形品からなる。
【００１８】
ボディ２１の上壁部２１ａから各側壁部２１ｂへの連設部分には、カバー２２側に設けられた一対の嵌合突起２２ｅ（図２（ａ）では片側のみ図示）がそれぞれ嵌合する一対の嵌合部２１ｃが設けられている。また、各側壁部２１ｂにおいて嵌合部２１ｃの下側には、器具本体（図示せず）に第２ソケット２を取り付ける際に器具本体側に設けたリブが挿通される挿通溝２１ｄが、それぞれ前後方向に沿って設けられている。
【００１９】
カバー２２は、ボディ２１の前面開口を閉塞するカバー本体２２ａと端子台２２ｂとを一体に備えるとともに、カバー本体２２ａの前面側に円筒状の端子保持部２２ｃを一体に備えている。端子台２２ｂの前面には、点灯回路３からの電線Ｌ２及び商用交流電源１００からの電線Ｌ５を挿通させる一対の電線挿入孔２２ｄが横並びに設けられるとともに、一対の電線挿入孔２２ｄの左右両側には外部からのアース線（図示せず）を挿通させる一対の電線挿入孔２２ｇ，２２ｇが設けられている。また、端子台２２ｂの左右方向両端部には、後方（ボディ２１側）に突出する一対の嵌合突起２２ｅ（図２（ａ）では片側のみ図示）が設けられている。さらに、端子保持部２２ｃには、直管形ランプ６の第２ランプピン６１ａを挿通させる挿通溝２２ｆが設けられている。ここに、ソケット本体２０は、ボディ２１の各嵌合部２１ｃに、カバー２２の対応する嵌合突起２２ｅをそれぞれ嵌合させることで組み立てられる（図２（ｂ）参照）。
【００２０】
切換スイッチ４は、点灯回路３から点灯電力を出力させる出力状態と、点灯電力を出力させない非出力状態とを切り替えるためのスイッチである。この切換スイッチ４は、図２（ａ）に示すように矩形箱状のスイッチ本体４０を有し、スイッチ本体４０の内部には、点灯回路３の入力端子Ｔ２と商用交流電源１００との間に接続された接点４３が収納されている。また、スイッチ本体４０の下部には筒状部４１が一体に設けられ、この筒状部４１の筒内には、上記の接点４３を接触又は開離させる円柱状の操作子４２がその一部を露出させた状態で移動自在に収納されている。なお、この操作子４２は、復帰ばね（図示せず）により下方に弾性力が加えられており、操作子４２を操作していない状態では接点４３が開離した状態にある。
【００２１】
アース端子５は、弾性を有する導電性材料（例えば銅など）からなり、矩形板状に形成された端子本体５０の上部には、電線挿入孔２２ｇを通して第２ソケット２内に挿通されたアース線（図示せず）が電気的に接続される一対の接続片５２が一体に設けられている。また、端子本体５０の下部には、直管形ランプ６の第２ランプピン６１ａを左右両側から接触保持する一対の保持片５１が一体に設けられている。なお、各保持片５１の先端部は、第２ランプピン６１ａを挿通し易いように外側に拡開させてある。
【００２２】
第１ソケット１は、図１に示すように、ソケット本体１０と、回転子１３と、一対の給電端子（図示せず）とを主要な構成として備える。
【００２３】
ソケット本体１０は、前面側が開口する箱状のボディ１１と、ボディ１１の前面開口を閉塞する形でボディ１１に取り付けられるカバー１２とで構成され、ボディ１１及びカバー１２はともに合成樹脂成形品からなる。なお、ボディ１１については、第２ソケット２を構成するボディ２１と同様の形状であるから、ここでは説明を省略する。
【００２４】
カバー１２は、ボディ１１の前面開口を閉塞するカバー本体１２ａと端子台１２ｂとを一体に備えている。端子台１２ｂの前面には、点灯回路３からの電線Ｌ３，Ｌ４を挿通させる複数（図１では４個）の電線挿入孔１２ｃが横並びに設けられている。また、カバー本体１２ａには、円盤状に形成された回転子１３が回転自在に取り付けられており、この回転子１３には、直管形ランプ６の第１ランプピン６２ａを挿通させる挿通溝１３ａが上下方向に沿って設けられている。
【００２５】
点灯回路３は、商用交流電源１００の交流電圧を所望の電圧値の直流電圧（上記のＬＥＤの動作電圧）に変換するチョッパ回路からなる。入力端子Ｔ１は電線Ｌ１を介して商用交流電源１００の一端に電気的に接続され、商用交流電源１００の他端は電線Ｌ５を介して切換スイッチ４の接点４３の一端に電気的に接続されている。また、点灯回路３の入力端子Ｔ２は電線Ｌ２を介して上記の接点４３の他端に電気的に接続されている。さらに、点灯回路３の出力端子Ｔ３，Ｔ４は、それぞれ電線Ｌ３，Ｌ４を介して第１ソケット１のソケット本体２０内に収納された一対の給電端子（図示せず）に電気的に接続されている。つまり、この点灯回路３では、切換スイッチ４の接点４３が導通したときに第１ソケット１に点灯電力が供給され、接点４３が開離したときに第１ソケット１への給電が停止される。
【００２６】
次に、照明装置の動作について、図３及び図４を参照しながら説明する。図３（ａ）は直管形ランプ６を照明装置に取り付ける前の状態であり、このとき切換スイッチ４の操作子４２は、図３（ｂ）及び図３（ｃ）に示すように筒状部４１から下方に押し出された状態にある。つまり、切換スイッチ４の接点４３は導通しておらず、点灯回路３から第１ソケット１へは給電されていない。
【００２７】
図３（ａ）に示す状態から、直管形ランプ６を照明装置に近づけていき、第１口金部６２を第１ソケット１に、第２口金部６１を第２ソケット２にそれぞれ装着させる。このとき、第１口金部６２の一対の第１ランプピン６２ａは、回転子１３の挿通溝１３ａ内を通って所定位置まで移動する。またこのとき、第２口金部６１の第２ランプピン６１ａは、第２ソケット２の端子保持部２２ｃの挿通溝２２ｆ内を通って所定位置まで移動し、切換スイッチ４の操作子４２を上方（図４（ｂ）及び図４（ｃ）中の矢印Ａの向き）に押し上げる。その結果、切換スイッチ４の接点４３が導通し、点灯回路３から第１ソケット１に点灯電力が供給される。なおこの状態では、第１口金部６２の各第１ランプピン６２ａは何れも対応する給電端子に接触しておらず、また第２口金部６１の第２ランプピン６１ａはアース端子５に弾接している。つまり、一対の第１ランプピン６２ａよりも第２ランプピン６２ａが先に電気的に接続されている。
【００２８】
そして最後に、直管形ランプ６を所定の方向に９０度回転させると、第１口金部６２の各第１ランプピン６２ａがそれぞれ対応する給電端子に接触し、直管形ランプ６の取り付けが完了する。
【００２９】
逆に、照明装置から直管形ランプ６を取り外す際には、まず最初に取付時の回転方向と反対方向に直管形ランプ６を９０度回転させる。このとき、第１口金部６２の各第１ランプピン６２ａと対応する給電端子の接触状態は解除されるが、第２口金部６１の第２ランプピン６１ａとアース端子５は接触したままである。その後、直管形ランプ６を下向きに引っ張ることで、照明装置から直管形ランプ６が取り外される。このとき、第２ランプピン６１ａと切換スイッチ４の操作子４２の接触状態が解除されることで、点灯回路３から第１ソケット１への給電が停止される。つまり、一対の第１ランプピン６２ａよりも第２ランプピン６１ａが後から電気的に外れることになる。
【００３０】
而して本実施形態によれば、アース側の第２ランプピン６１ａが切換スイッチ４の操作子４２に接触するまでは点灯回路３から点灯電力が供給されないので、先に給電側の第１ランプピン６２ａを給電端子に接触させたとしても電気的に接続されず、上記の規格を満足するとともに安全性を高めた照明装置を提供することができる。また、切換スイッチ４の操作子４２を操作する部位を第２ランプピン６１ａで構成しているので、操作子４２を操作する部位を別に設けなくてもよく、コストアップを抑えることができる。
【００３１】
ここに、図１では点灯回路３の入力側に切換スイッチ４の接点４３を挿入し、接点４３の接離に応じて点灯回路３の出力状態を切り替えているが、図５に示すように切替スイッチ４の接点４３を点灯回路３の出力側に挿入してもよく、同様に、上記の規格を満たす照明装置を提供することができる。
【００３２】
また、本実施形態では、給電側の第１ソケット１として回転式のソケットを例に説明したが、回転式のソケットで防水ソケットを構成した場合には防水リングの締付時にランプの共回りが発生しやすいという問題があった。そのため、防水ソケットを構成する場合には図６に示すようなスライドイン方式の第１ソケット７を用いるのが好ましい。以下、第１ソケット７について説明する。
【００３３】
第１ソケット７は、ソケット本体７０と、前面カバー７１と、防水パッキン（図示せず）と、防水リング７２とを主要な構成として備える。
【００３４】
ソケット本体７０は、前面側にねじ筒部７０ａが設けられており、このソケット本体７０の前面側に装着される前面カバー７１には、一対の第１ランプピン６２ａが挿通される一対の挿通溝７１ａが設けられている。また、防水リング７２は、ソケット本体７０のねじ筒部７０ａにねじ込まれる形でソケット本体７０に取り付けられ、ソケット本体７０との間で防水パッキンを挟持する。さらに、ソケット本体７０の内部には、一対の給電端子（図示せず）が、前面カバー７１の各挿通溝７１ａを臨むようにして収納されている。なお、この第１ソケット７は従来周知の構成であるから、詳細な説明については省略する。
【００３５】
次に、この第１ソケット７を用いた照明装置の動作について説明する。まず最初に、第１口金部６２を第１ソケット７に装着した後、第２口金部６１を第２ソケット２に装着する場合について説明する。第１口金部６２を第１ソケット７に装着すると、各第１ランプピン６２ａがそれぞれ対応する給電端子に接触するが、このとき切換スイッチ４の接点４３は導通していないため、点灯回路３からの給電は停止している。その後、第２口金部６１を第２ソケット２に装着すると、第２ランプピン６１ａは、アース端子５の一対の保持片５１に接触した後、切換スイッチ４の操作子４２に接触し、このとき点灯回路３から点灯電力が給電される。つまりこの場合、第１ランプピン６２ａに給電されるよりも先に第２ランプピン６１ａがアース接続される。
【００３６】
続けて、第２口金部６１を第２ソケット２に装着した後、第１口金部６２を第１ソケット７に装着する場合について説明する。第２口金部６１を第２ソケット２に装着すると、第２ランプピン６１ａは、アース端子５の一対の保持片５１に接触した後、切換スイッチ４の操作子４２に接触し、このとき点灯回路３から点灯電力が供給される。その後、第１口金部６２を第１ソケット７に装着すると、各第１ランプピン６２ａがそれぞれ対応する給電端子に接触し、給電される。つまりこの場合にも、第１ランプピン６２ａに給電されるよりも先に第２ランプピン６１ａがアース接続される。
【００３７】
次に、照明装置から直管形ランプ６を取り外す動作について説明する。まず最初に、第２口金部６１を第２ソケット２から取り外した後、第１口金部６２を第１ソケット７から取り外す場合について説明する。第２口金部６１を第２ソケット２から取り外すと、第２ランプピン６１ａは、切換スイッチ４の操作子４２との接触が外れた後、アース端子５の一対の保持片５１との接触が外れる。つまりこの場合、第２ランプピン６１ａのアース接続が外れるよりも先に点灯回路３からの給電が停止される。その後、第１口金部６２を第１ソケット７から取り外すと、各第１ランプピン６２ａと対応する給電端子の接触が外れる。
【００３８】
続けて、第１口金部６２を第１ソケット７から取り外した後、第２口金部６１を第２ソケット２から取り外す場合について説明する。第１口金部６２を第１ソケット７から取り外すと、各第１ランプピン６２ａと対応する給電端子の接触が外れる。その後、第２口金部６１を第２ソケット２から取り外すと、第２ランプピン６１ａは、切換スイッチ４の操作子４２との接触が外れた後、アース端子５の一対の保持片５１との接触が外れる。つまりこの場合にも、第２ランプピン６１ａのアース接続が外れるよりも先に点灯回路３からの給電が停止される。
【００３９】
而して本例によれば、第２口金部６１を第２ソケット２に装着していない状態では点灯回路３から給電されないので、直管形ランプ６を取り付ける際には第２ランプピン６１ａが先にアース接続されることになる。また、直管形ランプ６を取り外す際には、第２ランプピン６１ａと切換スイッチ４の操作子４２の接触が外れた後、第２ランプピン６１ａとアース端子５の接触が外れるので、第２ランプピン６１ａとアース端子５の接触が後から外れることになる。つまり本例によれば、上記の規格を満足するとともに安全性を高めた照明装置を提供することができる。
【００４０】
なお、本実施形態では、点灯回路３の出力状態を切り替えるための切換スイッチ４の接点４３を点灯回路３の入力側又は出力側に挿入しているが、例えば外部入力の有無に応じて点灯回路の出力状態が切り替えられるようになっていてもよく、この場合、外部入力部分に切換スイッチ４の接点４３を挿入すればよい。また、本実施形態では、ＬＥＤを光源とする直管形ランプ６を例に説明したが、直管形ランプは本実施形態に限定されるものではなく、他の光源であってもよい。
【符号の説明】
【００４１】
１  第１ソケット
２  第２ソケット
３  点灯回路
４  切換スイッチ
５  アース端子
【図１】
2012226919.tif 000003
【図２】
2012226919.tif 000004
【図３】
2012226919.tif 000005
【図４】
2012226919.tif 000006
【図５】
2012226919.tif 000007
【図６】
2012226919.tif 000008